(57)【要約】【課題】  輪郭の直線性に優れた導電性ペースト膜をグラビア印刷によって形成することができる、グラビア印刷機を提供する。【解決手段】  グラビアロール２上の画線部１３において、印刷方向１５に対して斜め方向に延びる複数本の斜め方向土手２１，２２と印刷ペーストの流動をせき止める方向に延びる複数本のせき止め方向土手２３とを設け、斜め方向土手２１，２２とせき止め方向土手２３とによって区画された複数個のセル２４を形成する。斜め方向土手は、互いに隣り合うものが略平行に延び、印刷方向１５に見て、画線部１３の一方側縁２５から中央部に向かうように連続的に延びる第１の斜め方向土手２１と、他方側縁２６から中央部に向かうように連続的に延びる第２の斜め方向土手２２とを有する。せき止め方向土手２３には、印刷方向１５に隣り合うセル２４間を連通状態とするための切欠き２７が設けられる。【選択図】  図４
2006088418.tif 000002
【特許請求の範囲】
【請求項１】
ペースト膜を被印刷シート上にグラビア印刷によって形成するためのグラビア印刷機であり、
前記ペースト膜を与える印刷ペーストが付与される画線部をその周面上に形成しているグラビアロールを備え、
前記画線部には、印刷方向に対して斜め方向に延びる複数本の斜め方向土手と前記斜め方向土手に沿う前記印刷ペーストの流動をせき止める方向に延びる複数本のせき止め方向土手とが設けられるとともに、前記斜め方向土手と前記せき止め方向土手とによって区画された、複数個のセルが形成され、
隣り合う前記斜め方向土手は、互いに略平行に延び、
前記斜め方向土手は、一方向に延びている部分については連続的に延びており、
前記せき止め方向土手には、印刷方向に隣り合う前記セル間を連通状態とするための切欠きが設けられている、
グラビア印刷機。
【請求項２】
前記斜め方向土手は、印刷方向に見て、前記画線部の一方側縁から中央部に向かうように延びる第１の斜め方向土手と、前記画線部の他方側縁から中央部に向かうように延びる第２の斜め方向土手とを備える、請求項１に記載のグラビア印刷機。
【請求項３】
前記印刷ペーストとして導電性ペーストが用いられ、前記ペースト膜は、積層電子部品の内部電極となる導電性ペースト膜である、請求項１または２に記載のグラビア印刷機。
【請求項４】
前記斜め方向土手は、印刷方向に対して５度〜３０度の角度をなす方向に延びている、請求項３に記載のグラビア印刷機。
【請求項５】
請求項１ないし４のいずれかに記載のグラビア印刷機を用いて実施されるものであり、前記印刷ペーストとして導電性ペーストが用いられ、前記被印刷シートとしてのセラミックグリーンシートまたはキャリアフィルム上に、前記ペースト膜としての内部電極となる導電性ペースト膜を形成する工程を備える、積層セラミック電子部品の製造方法。
【発明の詳細な説明】
【技術分野】
【０００１】
この発明は、グラビア印刷機およびこれを用いて実施される積層セラミック電子部品の製造方法に関するもので、特に、グラビア印刷によって形成されるペースト膜の輪郭の直線性を向上させるための技術に関するものである。
【背景技術】
【０００２】
積層セラミックコンデンサのような積層セラミック電子部品を製造するため、たとえば、内部電極となる導電性ペースト膜をセラミックグリーンシート上に形成する工程が実施される。この導電性ペースト膜によって与えられる内部電極は、高いパターン精度を有していることが要求される。この要求を満たし得る技術として、グラビア印刷が注目されている（たとえば、特許文献１参照）。
【０００３】
特許文献１では、グラビア印刷によって形成されたペースト膜の外周部分での厚みを均一化することを目的として、グラビアロールの周面上に形成される、印刷ペーストが付与される画線部において形成される複数個のセルについて、外周部におけるセルの開口面積を、中央部におけるセルの開口面積よりも小さくし、かつ、外周部におけるセルの深さを、中央部におけるセルの深さよりも浅くしたものが記載されている。
【０００４】
しかしながら、特許文献１に記載のものでは、画線部に形成される複数個のセルは互いに独立しているため、画線部全体の面積に対するセルの部分の面積の比率が比較的低く、また、印刷時において、隣り合うセル間での印刷ペーストの流動が生じ得ないため、特に、比較的広い面積のペースト膜を形成するための印刷には不向きであり、印刷むらが生じやすい。
【０００５】
上述した問題を解決し得るものとして、電子部品の分野での適用を意図したものではないが、画線部に形成される複数個のセルを規定する土手を、印刷方向に対して斜めに延びるように配置するとともに、セルを隣り合うものの間で連通状態とするため、各セルを区画する土手において切欠きが設けられたものが提案されている（たとえば、特許文献２参照）。
【０００６】
上述の特許文献２に記載の技術によれば、画線部全体の面積に対する印刷ペーストを保持し得る領域（すなわち、セルおよび切欠き）の面積の比率を高めることができ、また、切欠きを通しての印刷ペーストの流動を期待できる。
【０００７】
しかしながら、特許文献２に記載の技術では、画線部に形成される複数個のセルを規定する土手が、印刷方向に対して斜め方向に延びるように配置されているので、被印刷シートがグラビアロールから離れるときの印刷ペーストのいわゆる糸引きが、印刷方向すなわちグラビアロールの周面の移動方向に対して斜め方向に発生し、この糸引きは、印刷されたペースト膜の周縁部において途切れることが多い。
【０００８】
上述のように、糸引きが、印刷されたペースト膜の周縁部において途切れると、まず、ペースト膜の輪郭において凹凸が生じ、輪郭の直線性が低下することがある。
【０００９】
また、糸引きがペースト膜の周縁部において途切れると、ペースト膜の周縁部での印刷ペーストの転写量が必要以上に多くなることがある。その結果、ペースト膜の周縁部が中央部よりも厚くなる、いわゆる「サドル現象」が生じやすい。
【００１０】
また、糸引き状態の印刷ペーストは、印刷時において、ランダムに途切れたり合流したりする。その結果、ペースト膜の表面に凹凸が発生し、平滑なペースト膜が形成されないことがある。
【００１１】
以上のような問題は、印刷ペーストとして、通常のグラビア印刷用インキに比べて、たとえば導電性ペーストのように金属コンテントが高く、それゆえ高粘度であるものが用いられたとき、さらには、通常のグラビア印刷によるインク膜に比べて、たとえば内部電極となるべき導電性ペースト膜のようにペースト膜が厚く形成されなければならないとき、より顕著に現れる。
【特許文献１】特開平９−７６４５９号公報
【特許文献２】実公平５−４１０１５号公報
【発明の開示】
【発明が解決しようとする課題】
【００１２】
そこで、この発明の目的は、上述のような問題を解決し得る、グラビア印刷機およびこれを用いて実施される積層セラミック電子部品の製造方法を提供しようとすることである。
【課題を解決するための手段】
【００１３】
この発明は、ペースト膜を被印刷シート上にグラビア印刷によって形成するためのグラビア印刷機にまず向けられる。
【００１４】
このグラビア印刷機は、ペースト膜を与える印刷ペーストが付与される画線部をその周面上に形成しているグラビアロールを備えている。
【００１５】
このような構成を備えるグラビア印刷機において、前述した技術的課題を解決するため、次のような構成を備えることを特徴としている。
【００１６】
すなわち、画線部には、印刷方向に対して斜め方向に延びる複数本の斜め方向土手と斜め方向土手に沿う印刷ペーストの流動をせき止める方向に延びる複数本のせき止め方向土手とが設けられるとともに、斜め方向土手とせき止め方向土手とによって区画された、複数個のセルが形成される。
【００１７】
また、隣り合う斜め方向土手は、互いに略平行に延び、かつ、斜め方向土手は、一方向に延びている部分については連続的に延びており、せき止め方向土手には、印刷方向に隣り合うセル間を連通状態とするための切欠きが設けられている。
【００１８】
上述の斜め方向土手は、印刷方向に見て、画線部の一方側縁から中央部に向かうように延びる第１の斜め方向土手と、画線部の他方側縁から中央部に向かうように延びる第２の斜め方向土手とを備えることが好ましい。
【００１９】
この発明に係るグラビア印刷機は、特に、積層電子部品の内部電極を形成するために用いられることが好ましい。この場合、印刷ペーストとして導電性ペーストが用いられ、ペースト膜は、積層電子部品の内部電極となる導電性ペースト膜である。また、印刷ペーストとして導電性ペーストが用いられる場合には、斜め方向土手は、印刷方向に対して５度〜３０度の角度をなす方向に延びていることが好ましい。
【００２０】
この発明は、また、上述のようなグラビア印刷機を用いて実施される積層セラミック電子部品の製造方法にも向けられる。この発明に係る積層セラミック電子部品の製造方法は、印刷ペーストとして導電性ペーストが用いられ、被印刷シートとしてのセラミックグリーンシートまたはキャリアフィルム上に、ペースト膜としての内部電極となる導電性ペースト膜を形成する工程を備えることを特徴としている。
【発明の効果】
【００２１】
この発明に係るグラビア印刷機によれば、グラビアロールの周面上に形成される画線部には、互いに略平行に延びる複数本の斜め方向土手が設けられ、これら斜め方向土手の一方向に延びている部分については連続的に延びるようにされ、また、せき止め方向土手には、印刷方向に隣り合うセル間を連通状態とするための切欠きが設けられているので、印刷時において、印刷ペーストの流れを、画線部の一方側縁から他方側縁に向かうようにすることができる。その結果、画線部の少なくとも一方側縁に対応するペースト膜の少なくとも一方側縁側の輪郭の直線性を向上させることができる。
【００２２】
なお、画線部の他方側縁に対応するペースト膜の他方側縁側では、必ずしも、輪郭の直線性は保証されないが、このような他方側縁側の輪郭の直線性が要求されない分野であれば、問題なく適用することができる。
【００２３】
また、この発明によれば、画線部の少なくとも一方側縁に対応するペースト膜の少なくとも一方側縁側での「サドル現象」を生じさせにくくすることができる。
【００２４】
また、印刷時において、糸引き状態の印刷ペーストがランダムに途切れたり合流したりすることがないので、ペースト膜の表面の平滑性を向上させることができる。
【００２５】
この発明に係るグラビア印刷機において、斜め方向土手として、印刷方向に見て、画線部の一方側縁から中央部に向かうように延びる第１の斜め方向土手と、画線部の他方側縁から中央部に向かうように延びる第２の斜め方向土手とが設けられていると、印刷時において、画線部の両側縁から中央部に向かって印刷ペーストが流れるので、画線部の両側縁に対応するペースト膜の両側縁について、その輪郭の直線性を向上させることができるとともに、「サドル現象」を生じさせにくくすることができる。
【００２６】
なお、上述の好ましい実施態様では、印刷時において、印刷ペーストが画線部の両側縁から中央部に向かって流れるため、画線部の中央部に対応するペースト膜の中央部での厚みの増加がもたらされることがある。しかしながら、ペースト膜の中央部での厚みは、第１の斜め方向土手と第２の斜め方向土手との間隔を変更したり、中央部に位置するせき止め方向土手の大きさを変更したりすることによって、調整することが可能である。したがって、ペースト膜の厚みを中央部と両側縁部とで実質的に均等にすることは比較的容易である。
【００２７】
以上のようなことから、この発明に係るグラビア印刷機は、通常のグラビア印刷において適用される印刷用インクに比べて粘度が高く、また、通常のグラビア印刷において形成されるインク膜より厚くなる、たとえば導電性ペーストを印刷する場合に有利に適用される。すなわち、印刷ペーストとして導電性ペーストが用いられ、ペースト膜が、積層電子部品の内部電極となる導電性ペースト膜であるとき、この発明に係るグラビア印刷機が特に有利に適用される。
【００２８】
上述した実施態様において、斜め方向土手の延びる方向については、印刷方向に対して５度〜３０度の角度をなす方向に延びるようにされると、粘度の高い導電性ペーストが印刷ペーストとして用いられても、印刷時において、印刷ペーストに対して円滑な流動を生じさせることができる。
【００２９】
この発明に係る積層セラミック電子部品の製造方法によれば、この発明に係るグラビア印刷機を用いて内部電極となる導電性ペースト膜を形成するようにしているので、輪郭の直線性に優れ、かつ平滑で厚みの均一な導電性ペースト膜を得ることができる。したがって、製造された積層セラミック電子部品において、特性のばらつきを抑えること、たとえば積層セラミックコンデンサにあっては静電容量のばらつきを抑えることができ、また、ショート不良を引き起こしたり、絶縁抵抗不良を引き起こしたりすることを防止でき、それゆえ、良好な品質の積層セラミック電子部品を、高い歩留まりをもって製造することができる。
【発明を実施するための最良の形態】
【００３０】
図１は、この発明の第１の実施形態によるグラビア印刷機１を概略的に示す正面図である。
【００３１】
グラビア印刷機１は、グラビアロール２と、グラビアロール２に対して、被印刷シート３を挟んで対向する圧胴４とを備えている。これらグラビアロール２および圧胴４は、それぞれ、矢印５および６方向に回転し、それによって、被印刷シート３は矢印７方向へ搬送される。なお、グラビア平版印刷機の場合のように、圧胴を備えないグラビア印刷機もあり得る。
【００３２】
グラビア印刷機１は、たとえば積層セラミックコンデンサのような積層セラミック電子部品を製造するために用いられるものである。より特定的には、グラビア印刷機１は、積層セラミック電子部品に備える積層構造物の一部をなすパターニングされた層となるべきペースト膜を被印刷シート３上にグラビア印刷によって形成するために用いられる。より具体的には、図２に示すように、セラミックグリーンシート８上に、パターニングされた内部電極となるべき導電性ペースト膜９がグラビア印刷によって形成される。
【００３３】
セラミックグリーンシート８は、図２に示すように、キャリアフィルム１０によって裏打ちされた状態にある。したがって、図１に示した被印刷シート３は、このようにキャリアフィルム１０によって裏打ちされたセラミックグリーンシート８である。
【００３４】
グラビアロール２は、図１に示すように、タンク１１内に収容された導電性ペースト１２内に浸漬され、それによって、グラビアロール２の周面上に形成された複数個の画線部１３（その一部が概略的に図示されている。）に導電性ペースト１２が付与される。画線部１３の詳細については、後述する。なお、グラビアロール２への導電性ペースト１２の供給は、導電性ペースト１２をグラビアロール２に向かって射出するなどの方法によってもよい。グラビアロール２の周面上の余分な導電性ペースト１２は、ドクターブレード１４によって掻き取られる。
【００３５】
画線部１３は、その代表的なもののみが図３に概略的に図示されているように、図２に示した導電性ペースト膜９のパターンに対応するパターンを有している。この実施形態では、画線部１３の長手方向がグラビアロール２の周方向に向くようにされている。
【００３６】
図４は、１個の画線部１３を拡大して示す、グラビアロール２の周面の展開図である。図４において、印刷方向が矢印１５で示されているが、この印刷方向１５は、図１に示した矢印５に対応している。
【００３７】
より詳細には、画線部１３の図４における上端側が印刷始端側であり、下端側が印刷終端側である。したがって、印刷工程において、画線部１３の、被印刷シート３に接触する領域は、図４における上端側から下端側へとその位置を変える。また、この実施形態では、ドクターブレード１４による、グラビアロール２の周面上での導電性ペースト１２の掻き取り方向は、上述した印刷方向１５と同じである。
【００３８】
画線部１３には、印刷方向１５に対して斜め方向に延びる複数本の斜め方向土手２１および２２と斜め方向土手２１および２２に沿う導電性ペースト１２の流動をせき止める方向に延びる複数本のせき止め方向土手２３とが設けられる。そして、斜め方向土手２１および２２とせき止め方向土手２３とによって区画された、複数個のセル２４が形成される。
【００３９】
斜め方向土手２１および２２は、印刷方向１５に見て、画線部１３の一方側縁すなわち第１の側縁２５から中央部に向かうように延びる第１の斜め方向土手２１と、画線部１３の他方側縁すなわち第２の側縁２６から中央部に向かうように延びる第２の斜め方向土手２２とに分類される。
【００４０】
斜め方向土手２１および２２の各々の隣り合うものは、互いに略平行に延びている。また、斜め方向土手２１および２２は、それぞれ、側縁２５および２６から中央部に至るまで、すなわち一方向に延びている部分については、連続的に延びている。
【００４１】
斜め方向土手２１および２２の各々の延びる方向が、印刷方向１５に対してなす角度θは、５度〜３０度の範囲内になるように選ばれることが好ましい。これによって、一般の印刷用インクに比べて高い、たとえば０．１〜４０Ｐａ・ｓといった粘度を有する導電性ペースト１２であっても、これを、印刷工程において、斜め方向土手２１および２２に沿って円滑に流動させることができ、また、ドクターブレード１４によって掻き取りながら、導電性ペースト１２を画線部１３の全域に円滑に供給することができる。
【００４２】
なお、この角度θは、これを変えることによって、印刷された導電性ペースト膜１９における輪郭の直線性や「サドル現象」の生じ方を制御することができる。
【００４３】
せき止め方向土手２３には、印刷方向１５に隣り合うセル２４間を連通状態とするための切欠き２７が設けられている。この実施形態では、切欠き２７は、各セル２４の対角線方向に対向する２つの角の部分に位置している。このように切欠き２７の位置を選ぶことにより、グラビアロール２の周面上の余分な導電性ペースト１２をドクターブレード１４によって掻き取ったときに、不所望にも、各セル２４内に留めるべき導電性ペースト１２までを掻き出してしまい、そのため、導電性ペースト膜９が部分的に薄くなってしまうことを有利に防止することができる。
【００４４】
斜め方向土手２１および２２の各々とせき止め方向土手２３とは、互いに交差する交差部分２８を形成しているが、この交差部分２８は、せき止め方向土手２３が斜め方向土手２１および２２の各々に対して貫通して「ｘ」字状をなすのではなく、図４に示すように貫通せずに「ｙ」字状をなすようにされることが好ましい。これによって、各セル２４が与える開口部の分布状態に関して、より均一化を図ることができ、印刷された導電性ペースト膜９の表面の平滑化に寄与させることができる。
【００４５】
また、図４における下端側に相当する印刷終端側では、せき止め方向土手２３（Ａ）は、その幅をより広くすることが好ましい。これによって、「サドル現象」をより生じさせにくくすることができる。
【００４６】
以上のように、この実施形態によれば、印刷工程において、斜め方向土手２１および２２によって、導電性ペースト１２の流れを、第１および第２の側縁２５および２６の各々から中央部に向かうようにすることができる。したがって、印刷された導電性ペースト膜９において、その両側縁での輪郭の直線性を向上させることができるとともに、「サドル現象」を生じさせにくくすることができ、また、導電性ペースト膜９の表面の平滑性を向上させることができる。
【００４７】
なお、上述したように、印刷工程において、第１および第２の側縁２５および２６の各々から中央部に向かって導電性ペースト１２が流れるため、印刷された導電性ペースト膜９は、中央部において、より厚くなりやすい。しかしながら、中央部に位置するせき止め方向土手２３（Ｂ）の大きさや第１および第２の斜め方向土手２１および２２間の間隔２９を調整することによって、導電性ペースト膜９の中央部における厚みを容易に制御することができ、その結果、導電性ペースト膜９を一様な厚みとすることができる。
【００４８】
上述した第１の実施形態において、一例として、斜め方向土手２１および２２ならびにせき止め方向土手２３の各幅は、５〜２０μｍとされ、切欠き２７の間隔は、２０〜４０μｍとされ、角度θは、２５度とされる。また、使用される導電性ペースト１２の粘度は、０．１〜４０Ｐａ・ｓとされ、印刷される導電性ペースト膜９の厚みは、０．５〜２μｍとされ、印刷速度は、１５ｍ／分とされる。
【００４９】
以上のような第１の実施形態に関連して、次のような変形も可能である。なお、これらの変形は、後述する他の実施形態に対しても適用することができる。
【００５０】
たとえば、図４に示したせき止め方向土手２３は、印刷方向１５に対して直交する方向に延びているが、せき止め方向土手２３と斜め方向土手２１および２２の各々とがなす角度は、±４５度の範囲で変更することができる。
【００５１】
また、１個の画線部１３内において、第１の斜め方向土手２１間の間隔、第２の斜め方向土手２２間の間隔およびせき止め方向土手２３間の間隔は、場所によって異ならされてもよい。
【００５２】
また、斜め方向土手２１および２２ならびにせき止め方向土手２３の各々の延びる方向についても、１個の画線部１３内において、場所によって異ならされてもよい。
【００５３】
また、図４からわかるように、画線部１３における斜め方向土手２１および２２ならびにせき止め方向土手２３の配置は、画線部１３における印刷方向１３に向く中心線を対称軸として対称となるようにされたが、非対称であってもよい。もちろん、画線部１３は、図４に示すような長方形である場合に限らず、グラビア印刷によって形成されるべき導電性ペースト膜９のパターンに応じて、その形状を任意に変更することができる。
【００５４】
図５および図６は、それぞれ、この発明の第２および第３の実施形態を説明するためのもので、図４に示した第１の斜め方向土手２１の一部およびそれに関連して設けられるせき止め方向土手２３をさらに拡大して示す図である。図５および図６において、図４に示した要素に相当する要素には同様の参照符号を付し、重複する説明は省略する。
【００５５】
図５に示した第２の実施形態では、交差部分２８における斜め方向土手２１とせき止め方向土手２３とが互いに交差する角の部分には、丸みによる面取り３１が付されている。また、切欠き２７に向かうせき止め方向土手２３の先端部にも、丸みによる面取り３２が付されている。
【００５６】
図６に示した第３の実施形態では、交差部分２８における斜め方向土手２１とせき止め方向土手２３とが互いに交差する角の部分には、斜面による面取り３３が付されている。また、切欠き２７に向かうせき止め方向土手２３の先端部にも、斜面による面取り３４が付されている。
【００５７】
これら図５および図６にそれぞれ示した第２および第３の実施形態によれば、画線部１３において、隣り合うセル２４間での導電性ペースト１２の流れがより円滑に生じ、また、糸引きについても、より円滑に生じるようにすることができるので、印刷された導電性ペースト膜９の平滑性の向上に寄与する。また、画線部１３の清掃を容易にするという効果も期待できる。
【００５８】
図７は、この発明の第４の実施形態を説明するための図４に相当する図である。図７において、図４に示した要素に相当する要素には同様の参照符号を付し、重複する説明は省略する。
【００５９】
図７に示した第４の実施形態では、図４に示した第１の実施形態の場合と比較して、第１および第２の斜め方向土手２１および２２がより近接して配置されている。その結果、特に画線部１３の中央部において、斜め方向土手２１および２２ならびにせき止め方向土手２３の配置の形態および密度が、図４に示した第１の実施形態の場合と異なっている。
【００６０】
この実施形態は、画線部１３の中央部に対応する導電性ペースト膜９の中央部における厚みをコントロールしたいときに採用される。
【００６１】
図８は、この発明の第５の実施形態を説明するための図４に相当する図である。図８において、図４に示した要素に相当する要素には同様の参照符号を付し、重複する説明は省略する。
【００６２】
図８に示した第５の実施形態では、画線部１３において、斜め方向土手として、印刷方向１５に見て、第１の側縁２５から第２の側縁２６に向かうように延びる斜め方向土手４１のみが設けられていることを特徴としている。
【００６３】
この実施形態によれば、印刷工程において、導電性ペースト１２の流れを第１の側縁２５から第２の側縁２６に向かうようにすることができ、第１の側縁２５に対応する導電性ペースト膜９の一方側縁側の輪郭の直線性を向上させることができる。第２の側縁２６に対応する導電性ペースト膜９の他方側縁側の輪郭については、その直線性が必ずしも保証されないが、この他方側縁側では厳密な直線性が要求されない用途であれば、この実施形態を問題なく適用することができる。
【００６４】
以上、この発明を図示した実施形態に関連して説明したが、この発明の範囲内において、その他、種々の変形例が可能である。
【００６５】
たとえば、図示の実施形態では、被印刷シート３が、キャリアフィルム１０によって裏打ちされたセラミックグリーンシート８であり、導電性ペースト膜９がセラミックグリーンシート８上に形成されたが、たとえばキャリアフィルム１０のような樹脂シートのみを被印刷シート３として用い、この樹脂シート上に導電性ペースト膜を形成するようにしてもよい。この場合には、樹脂シート上に形成された導電性ペースト膜は、その後の工程において、セラミックグリーンシート８上に転写されたり、あるいは、導電性ペースト膜が形成された樹脂シートをキャリアフィルムとして、その上でセラミックグリーンシートが成形されることになる。
【００６６】
また、図示の実施形態では、グラビア印刷によって形成されるペースト膜が導電性ペースト膜９であったが、たとえば、セラミックスラリーのようなペースト状のものからなる膜であってもよい。より具体的には、たとえば積層セラミックコンデンサなどにおいて、内部電極の厚みによる段差を吸収するため、内部電極が形成されない領域に段差吸収用のセラミック層が形成されることがあるが、このようなセラミック層となるべきセラミックスラリーからなるペースト膜を形成しようとする場合にも、この発明を適用することができる。
【図面の簡単な説明】
【００６７】
【図１】この発明の第１の実施形態によるグラビア印刷機１を概略的に示す正面図である。
【図２】図１に示したグラビア印刷機１によって、被印刷シート３としてのキャリアフィルム１０によって裏打ちされたセラミックグリーンシート８上に導電性ペースト膜９が形成された状態を示す断面図である。
【図３】図１に示したグラビアロール２を単独で示す斜視図である。
【図４】図３に示した１個の画線部１３を拡大して示す、グラビアロール２の周面の展開図である。
【図５】この発明の第２の実施形態を説明するためのものであり、斜め方向土手２１の一部およびそれに関連するせき止め方向土手２３をさらに拡大して示す図である。
【図６】この発明の第３の実施形態を説明するためのものであり、斜め方向土手２１の一部およびそれに関連するせき止め方向土手２３をさらに拡大して示す図である。
【図７】この発明の第４の実施形態を説明するための図４に相当する図である。
【図８】この発明の第５の実施形態を説明するための図４に相当する図である。
【符号の説明】
【００６８】
１  グラビア印刷機
２  グラビアロール
３  被印刷シート
８  セラミックグリーンシート
９  導電性ペースト膜
１２  導電性ペースト
１３  画線部
１５  印刷方向
２１，２２，４１  斜め方向土手
２３  せき止め方向土手
２４  セル
２５，２６  側縁
２７  切欠き
【図１】
2006088418.tif 000003
【図２】
2006088418.tif 000004
【図３】
2006088418.tif 000005
【図４】
2006088418.tif 000006
【図５】
2006088418.tif 000007
【図６】
2006088418.tif 000008
【図７】
2006088418.tif 000009
【図８】
2006088418.tif 000010